(57)【要約】【課題】  持ち運び容易でありながら、部品点数が少なく低コスト化が可能で、しかも、片面接着の粘着テープでも片手操作を可能として高い汎用性を得ることができる携帯用テープカッターを提供すること。【解決手段】  帯状の粘着テープ１１を巻き重ねた粘着テープ巻重体１を回転可能に支持して収容するとともに、携帯用に軽量に形成されたケース２と、このケース２から引き出した粘着テープ１１を切断するカッター部２４と、を備えた携帯用テープカッターにおいて、ケース２を平滑面に保持させる１個の吸盤３を設け、吸盤３は、平滑面に吸着可能な吸盤本体３１と、吸盤本体３１の吸着面３１ａと反対側に設けられた回動軸３２とを有し、ケース２を、回動軸３２に回動可能に取り付けた。【選択図】      図２
2005119845.tif 000002
【特許請求の範囲】
【請求項１】
帯状の粘着テープを巻き重ねた粘着テープ巻重体を回転可能に支持して収容するとともに、携帯用に軽量に形成されたケースと、
このケースから引き出した粘着テープを切断するカッター部と、
前記ケースを平滑面に保持させる１個の吸盤と、
を備え、
前記吸盤は、平滑面に吸着可能な吸盤本体と、この吸盤本体の吸着面と反対側に設けられた回動軸とを有し、
前記ケースを、前記回動軸に回動可能に取り付けたことを特徴とする携帯用テープカッター。
【発明の詳細な説明】
【技術分野】
【０００１】
本発明は、帯状の粘着テープを巻き重ねた粘着テープ巻重体を支持しかつ切断するテープカッターに関し、特に、携帯容易なように軽量に形成した携帯用テープカッターに関する。
【背景技術】
【０００２】
従来、テープカッターとして、粘着テープ巻重体を回転可能に支持する軸部と、この軸部を支持するとともに粘着テープ巻重体を収容するケースと、引き出した粘着テープを切断するカッター部とを備えているものが知られている。
また、前記テープカッターとしては、卓上などに載置して使用する大型の載置用テープカッターと、ポケットや鞄などに入れて持ち運び可能な小型の携帯用テープカッターとが知られている。
前記載置用テープカッターは、前記ケースが主として巻きの直径が大きな粘着テープを収容可能に大型に形成されているとともに比較的重量を有して形成されている。
一方、携帯用テープカッターは、ケースが、主として巻きの直径が小さな粘着テープを支持可能であるとともに、持ち運び容易なように小型・軽量に形成されている。
【０００３】
前記載置用テープカッターは、ケースが重量を有しているため、この載置用テープカッターを卓上などに載置した状態で、粘着テープを片手で引き出してカッター部で切断することができる。しかしながら、大型で重量を有しているため、移動や持ち運びには不便である。
一方、前記携帯用テープカッターは、軽量であるから、移動や持ち運びは容易であるが、使用時には、片手で携帯用テープカッターを保持し、もう片方の手で粘着テープを引き出して切断するという操作になり、使用時に両手を使う必要があって、操作性の改善が望まれていた。
【０００４】
そこで、携帯用テープカッターにおいて、片手で操作可能としたものが提案されている。この片手で操作可能な携帯用テープカッターは、粘着テープ巻重体を収容するケースと、このケースに回動可能に支持されて粘着テープ巻重体の内周に嵌め合わせ可能な筒体と、この筒体の一端に設けられた爪車と、一端が爪車に一端が係合されている一方、他端の頭部がケースから突き出され、頭部を押すと爪車との係合が外れるようにケースに揺動可能に支持された回り止めロッドと、この回り止めロッドを爪車に係合する方向に付勢する付勢手段と、を備えたものが知られている（例えば、特許文献１参照）。
この従来技術によれば、粘着テープ巻重体として、いわゆる両面テープと呼ばれる両面が接着可能に形成された粘着テープ巻重体を適用した場合、使用時には、まず、両面テープの先端上側を接着対象に接着させ、次に、回り止めロッドの頭部を押して爪車との係合を外し、その状態でケースを移動させながら粘着テープを引き出し、この粘着テープが所定量引き出されたところで、回り止めロッドの頭部を離して筒体ならびに粘着テープ巻重体の回動を規制した状態とし、この状態でケースを引き上げて粘着テープをカッター部で切断することができる。
このように、粘着テープを接着対象に接着させてからケースを移動させることにより粘着テープが引き出されるため、片手による操作が可能となる。
【特許文献１】特開平６−１７９５６１号公報（図１）
【発明の開示】
【発明が解決しようとする課題】
【０００５】
しかしながら、上述の片手操作を可能とした携帯用テープカッターにあっては、ケースに対して回動可能な筒体、この筒体と一体の爪車、この爪車と係合する回り止めロッド、この回り止めロッドを係合方向に付勢する付勢手段、というように、部品点数が多くコスト高を招いたり、携帯性を悪化させるおそれがあったりする問題がある。加えて、片手操作で粘着テープを引き出す際には、最初に、粘着テープ先端部を接着対象に接着させる作業が必須であり、例えば適当な長さにテープを切り取って使うというように、接着対象に接着させない使い方ができず、使い勝手に劣る。
【０００６】
本発明は、上述のような従来の問題点に着目して成されたもので、持ち運び容易でありながら、部品点数が少なく低コスト化が可能で、しかも、粘着テープを接着対象に接着させなくても片手操作で粘着テープを引き出し可能な使い勝手に優れた携帯用テープカッターを提供することを目的としている。
【課題を解決するための手段】
【０００７】
上述の目的を達成するべく、本願請求項１に記載の発明は、
帯状の粘着テープを巻き重ねた粘着テープ巻重体を回転可能に支持して収容するとともに、携帯用に軽量に形成されたケースと、
このケースから引き出した粘着テープを切断するカッター部と、
前記ケースを平滑面に保持させる１個の吸盤と、
を備え、
前記吸盤は、平滑面に吸着可能な吸盤本体と、この吸盤本体の吸着面と反対側に設けられた回動軸とを有し、
前記ケースを、前記回動軸に回動可能に取り付けたことを特徴とする手段とした。
【発明の効果】
【０００８】
本発明の携帯用テープカッターでは、両手操作の場合は、周知のように片手でケースを保持してから、他方の片手で粘着テープを引き出し、その後、カッター部で切断する。
一方、片手操作の場合は、まず、吸盤を卓上などの吸着対象の平滑面に吸着させて、吸着対象に保持状態とする。このようにケースが吸盤により吸着対象に保持されるため、ケースを携帯用に小型・軽量に形成していても、ケースをもう片方の手で保持することなしに粘着テープを引き出して切断することができる。また、この場合、粘着テープを適宜必要な量だけ引き出して切断可能であり、片手操作を行うにあたり、引出方法が制限されることが無く、使い勝手に優れる。
加えて、ケースを吸盤の回動軸に対して回動可能に取り付けたため、吸盤を卓などの吸着対象に保持させた後でも、吸盤を吸着対象から取り外すことなく吸盤に対するケースの向きを変えて粘着テープの引き出し方向を変更することができるもので、使い勝手に優れる。
さらに、上述のような片手操作を可能とするのに必要な追加部品は、吸盤だけであり、従来技術のように、部品点数が多くなることが無く、安価に製造することが可能であるとともに、携帯性を悪化させることが無い。
【発明を実施するための最良の形態】
【０００９】
以下に、発明を実施するための最良の形態について図面に基づいて説明する。
（実施の形態１）
図１は実施の形態１の携帯用テープカッターを示す斜視図、図２は実施の形態１の携帯用テープカッターを示す断面図、図３は実施の形態１の携帯用テープカッターを示す分解斜視図である。
【００１０】
実施の形態１の携帯用テープカッターは、請求項１に記載の発明の実施態様であり、図１および図２に示すように、粘着テープ１１を巻重ねた粘着テープ巻重体１を支持するケース２と、このケース２の下面に取り付けられた吸盤３とを備えている。
なお、前記粘着テープ１１は、本実施の形態では、接着面が片面のみの片面テープを用い、その接着面を巻の内側に向けているものとするが、この粘着テープ１１として両面を接着面とする両面テープを用いてもよい。
【００１１】
前記ケース２は、全体の大部分が樹脂あるいは金属の板材により携帯用に小型・軽量に形成され、図３に示すように、ケース本体２１と、このケース本体２１の両側に取り付けられる第１側壁部材２２および第２側壁部材２３とを備えている。
前記ケース本体２１は、カッター部２４が立ち上げられた基部２１ａと、この基部２１ａから一体に円筒状に延びて前記粘着テープ巻重体１の外径方向を覆う筒状部２１ｂとを備えている。前記カッター部２４は、基部２１ａから壁状に立ち上げられ、その上端部には、このカッター部２４と一体あるいは別体に切断刃２４ａが設けられている。また、前記筒状部２１ｂの内周には、この筒状部２１ｂの軸心と平行な向きの係合孔２１ｃを有した凸条部２１ｄが３カ所に形成されている。
前記第１・第２側壁部材２２，２３は、前記筒状部２１ｂの側面に装着されて、筒状部２１ｂとで前記粘着テープ巻重体１を収容する収容空間を形成するもので、各側壁部材２２，２３には、それぞれ、前記係合孔２１ｃに挿入されてきつく嵌め合わされる３本のピン２２ａ，２３ａが内側面に突出されている。
さらに、前記第１側壁部材２２の内側面には、前記粘着テープ巻重体１の内周に緩く嵌め合わされる外周寸法を有した円筒状の支持用筒部２２ｂが突出されている。
一方、前記第２側壁部材２３の内側面には、前記支持用筒部２２ｂの内周に緩くあるいはきつく嵌め合わされる外周寸法を有した円筒状の挿入用筒部２３ｂが突出されている。
【００１２】
前記吸盤３は、樹脂あるいはゴムなどの弾性を有した素材により形成された吸盤本体３１と、この吸盤本体３１の中央において下面の吸着面３１ａとは反対の上面に立設された回動軸３２とを備えている。また、この回動軸３２の上端部には、回動軸３２よりも大径の円盤状の係合フランジ３２ｆが形成されている。
前記回動軸３２は、図２に示すように前記ケース本体２１の基部２１ａの裏面に形成された回動中心穴２５に回動自在に緩く挿入されているとともに、係合フランジ３２ｆにより抜け止めされている。すなわち、前記吸盤３は、ケース２に対して回動軸３２の軸Ｐを中心として水平方向に回動可能に取り付けられている。
【００１３】
次に、実施の形態１の携帯用テープカッターの使い方について説明する。
使用に先立ち、まず、ケース本体２１から第１側壁部材２２を外して、この第１側壁部材２２の支持用筒部２２ｂに粘着テープ巻重体１を装着した後、第１側壁部材２２を、その３本のピン２２ａをケース本体２１の係合孔２１ｃに差し込んで図１に示すようにケース本体２１に装着し、また、この第１側壁部材２２の支持用筒部２２ｂに第２側壁部材２３の挿入用筒部２３ｂを挿入させて、図１に示す使用状態とする。なお、この使用状態とするにあたり、第２側壁部材２３は、予めケース本体２１に装着させておいてもよいし、第１側壁部材２２を装着した後にケース本体２１に装着させてもよい。
【００１４】
次に、携帯用テープカッターを片手操作により使用する場合の使い方について説明する。
この場合、まず、吸盤３の吸盤本体３１を、テーブル・台などの吸着対象の平滑面に吸着させて吸着対象に保持させる。なお、この吸着対象の平滑面は、卓上などの水平面に限らず、垂直などに起立した面であってもよい。
この保持状態で、粘着テープ１１の先端を片手で所定量引き出し、その後、粘着テープ１１の引き出した部分をカッター部２４よりも下方に下げることで、切断刃２４ａにより切断させる。
このように、粘着テープ１１を引き出して切断する際に、携帯用テープカッターに対して引張力などの外力が作用するが、この携帯用テープカッターは、吸盤本体３１によりテーブル・台などの吸着対象に吸着保持されているため、移動することが無い。よって、空いた方の手で携帯用テープカッターを保持する必要が無く、片手で粘着テープ１１の引き出しおよび切断操作を行うことができる。
したがって、本実施の形態の携帯用テープカッターにあっては、例えば、スーパーマーケット・デパート・会社・工場などの広い店舗・場所や、屋外などにおいて、適宜必要な場所に持ち運び、そこで吸盤３により吸着対象に保持させて片手で操作しながら使用できるもので、従来周知の携帯用テープカッターの携帯性と、載置用テープカッターの操作性を併せ持つ、新規な携帯用テープカッターを提供することができる。
【００１５】
また、ケース２と吸盤３とは、軸Ｐを中心に相対回動可能となっているため、吸盤３により吸着対象に保持させた後でも、吸盤３をいちいち吸着対象から外すことなく必要に応じてケース２を軸Ｐを中心に回動させて粘着テープ１１の引き出し方向を変更することができ、使い勝手に優れる。
また、吸盤３を吸着対象から外せば、従来通り持ち運びできるとともに、従来通りに両手により操作することもできる。
【００１６】
以上のように、本実施の形態では、適宜必要な場所に持ち運びできる携帯用でありながら、使用の場で吸盤３により吸着対象に保持させて片手で粘着テープ１１の引き出しおよび切断が可能であり、今までに無かった新規な使い方ができ、使い勝手に優れる。
また、ケース２に対して吸盤３を追加しただけの簡単な構成であり、安価に上述の片手操作を達成できるとともに、携帯性を悪化させることも無い。
また、本実施の形態では粘着テープ１１を、従来技術のように接着対象に接着させてから引き出す使用方法に限られることがないため、使い勝手に優れる。
また、ケース２を吸盤３に対して回動させて、粘着テープ１１の引き出し方向を、軸Ｐを中心として３６０°変更可能であり、使い勝手に優れる。
【００１７】
（実施の形態２）
次に、実施の形態２の携帯用テープカッターについて簡単に説明する。なお、実施の形態２を説明するにあたり、実施の形態１で示した構成と同様の構成には実施の形態１と同じ符号を付けて説明を省略する。
図４は実施の形態２の携帯用テープカッターの要部を示す側面図である。
この実施の形態２は、実施の形態１の変形例であり、吸盤２０３の上面に取り付けられた回動軸２３２をゴムや樹脂などの弾性を有した素材により首振り、すなわち軸Ｐ２を吸盤本体３１を支点として揺動可能に形成している。
また、前記回動軸２３２の外周には、下方に向かうほど大径になる係合用フランジ２３４と係合用溝２３３が交互に形成されている。
【００１８】
一方、前記ケース２０２の底面には、係合片２２５がケース２０２の先端から突き出された状態で、接着や溶着やねじ止めなどの手段を用いて固定されているか、あるいは、ねじや爪と穴との係合などにより着脱可能に取り付けられている。また、前記係合片２２５には、前記回動軸２３２を挿入して回動軸２３２の中間位置で前記係合用溝２３３に緩く嵌め合わされる係合穴（図示省略）が形成されている。
【００１９】
本実施の形態２の携帯用テープカッターは、図４に示すように、係合片２２５の図示を省略した係合穴を前記回動軸２３２の係合用溝２３３に緩く嵌め合わせた状態で使用するもので、この場合、係合用フランジ２３４を含み回動軸２３２を弾性を有した素材により形成しているため、係合用フランジ２３４を変形させながら係合穴を通過させることができるとともに、この係合用フランジ２３４により抜け止めが成される。
そして、使用時には、実施の形態１と同様に吸盤２０３を卓などの吸着対象面Ｋに吸着させるが、この状態で、本実施の形態２では、ケース２０２は、卓などの吸着対象面Ｋから浮いた状態となる。
この図示の状態から粘着テープ１１を引き出すと、回動軸２３２がその力を受けて、図中左方向に傾き、粘着テープ１１を切断すると引っ張り力が無くなって元の位置に戻る。このように、実施の形態２の携帯用テープカッターは、粘着テープ１１を切断するたびに、回動軸２３２の首振り動作を伴うもので、使用時に、今までにない新規な動作を行い、商品の付加価値を高めることができる。
また、使用時にはケース２０２が吸着対象面Ｋから浮いているため、ケース２０２が吸着対象面Ｋを傷付けることが無い。
【００２０】
以上説明した実施の形態２は、他の構成については、実施の形態１と同様であるので、実施の形態１と同様に、携帯用の軽い構成でありながら、片手で粘着テープ１１の引き出しおよび切断が可能であり使い勝手に優れるという効果、簡単な構成であり、安価に上述の片手操作を達成できるとともに、携帯性を悪化させることも無いという効果、片手操作時の引出方法が制限されることが無く使い勝手に優れるという効果、粘着テープ１１の引き出し方向を、軸Ｐ２を中心として３６０°変更可能であり、使い勝手に優れるという効果を得ることができる。
【００２１】
以上のように、実施の形態２の携帯用テープカッターは、請求項１に記載の携帯用テープカッターにおいて、前記回動軸を弾性を有した素材により揺動可能に形成するとともに、ケースを吸盤による吸着対象面から離して支持可能としたことを特徴とする。この構成によれば、請求項１に記載の発明が有する作用効果に加えて、使用時にケースが揺動する新規な動作を行い、商品の付加価値を高めることができるという効果、ならびにケースが吸着対象面に当たって傷付けるのを防止できるという効果を得ることができる。
【００２２】
以上、本発明の実施の形態を図面に基づき説明してきたが、具体的な構成については、この実施の形態に限られるものではなく、特許請求の範囲の請求項に記載した発明の要旨を逸脱しない限り、設計の変更や追加等は許容される。
例えば、実施の形態では、吸盤３，２０３をケース２，２０２のカッター部２４の下方の下面に取り付けた例を示したが、吸盤を取り付ける位置は、実施の形態で示した位置に限定されないものであり、粘着テープ巻重体１を支持する側の下面や、カッター部２４と粘着テープ巻重体１を支持する部分との中間部の下面や、ケースの側面や、実施の形態１で示した筒状部２１ｂの中間部などに設けることも可能である。
また、吸盤本体３１には、摘みなど吸着面から取り外し易くする手段を設けてもよい。
【００２３】
また、実施の形態１では、吸盤３の回動軸３２をケース２に抜け止め状態で取り付けた例を示したが、実施の形態１および実施の形態２のいずれにおいても、回動軸３２，２３２をケースに対して着脱可能に構成してもよい。
このように着脱可能とする場合、例えば、実施の形態２に示すように、回動軸２３２に回動可能に取り付けられた係合片２２５にケース２０２を着脱可能に取り付けることで構成することができる。また、着脱の手段としては、係合用の穴や凹部と、係合用の爪や突起などを係合させる手段や、ねじなどを用いる手段や、２枚の板材の間に挟む手段などを用いることができ、また、この場合、既存の携帯用テープカッターを、そのまま用いることも可能となる。
同様に、実施の形態１において、ケース２を回動軸３２に着脱可能に取り付ける場合、回動軸は、吸盤本体３１に固定された部分と、この吸盤本体３１に固定された部分に対して回動する部分との２部材で構成する。このような構成としては、ベアリングが周知である。そして、吸盤本体３１に固定された部分に対して回動可能な部分に、ケース２を着脱可能に取り付ける。この着脱可能な取り付け手段としては、上記のような係合手段や、ねじなどを用いる手段や、ケースを挟む手段などを用いることができる。
【図面の簡単な説明】
【００２４】
【図１】実施の形態１の携帯用テープカッターを示す斜視図である。
【図２】実施の形態１の携帯用テープカッターを示す断面図である。
【図３】実施の形態１の携帯用テープカッターを示す分解斜視図である。
【図４】実施の形態２の携帯用テープカッターの要部を示す側面図である。
【符号の説明】
【００２５】
１    粘着テープ巻重体
１１    粘着テープ
２    ケース
２０２    ケース
２１    ケース本体
２１ａ    基部
２１ｂ    筒状部
２１ｃ    係合孔
２１ｄ    凸条部
２２    第１側壁部材
２２ａ    ピン
２２ｂ    支持用筒部
２３    第２側壁部材
２３ａ    ピン
２３ｂ    挿入用筒部
２４    カッター部
２４ａ    切断刃
２５   回動中心穴
３    吸盤
２０３    吸盤
３１    吸盤本体
３１ａ    吸着面
３２ｆ    係合フランジ
３２    回動軸
２２５    係合片
２３２    回動軸
２３３    係合用溝
２３４ 係合用フランジ
【図１】
2005119845.tif 000003
【図２】
2005119845.tif 000004
【図３】
2005119845.tif 000005
【図４】
2005119845.tif 000006